(57)【要約】【課題】簡易な作業でスリングの対象物に対する拘束力の減少を防止できる緩み止め具を提供する。【解決手段】緩み止め具は、本体部２００ｂおよびアイ部２００ａを有してなる繊維製のスリング２００の、アイ部２００ａに他方端を挿通して形成されるループで対象物を繋縛する際に用いられる緩み止め具であって、本体部２００ｂの、ループの周縁を構成する位置に一端が固定されているベルト１と、ベルト１の上記一端からの長さを調整するとともに、その長さを固定するアジャスタ２と、を備える。【選択図】図３
2019100515.tif 000002
【特許請求の範囲】
【請求項１】
本体部およびリング部を有してなる繊維製のスリングの、前記リング部に他方端を挿通して形成されるループで対象物を繋縛する際に用いられる緩み止め具であって、
前記本体部の、前記ループの周縁を構成する位置に一端が固定されているベルトと、
前記ベルトの前記一端からの長さを調整するとともに、その長さを固定するアジャスタと、を備える、緩み止め具。
【請求項２】
前記本体部の長手方向の少なくとも一部を被覆する環状のカバー部をさらに備え、
前記ベルトの前記一端は、前記カバー部の前記リング部に近い端部の外周面に固定されている、請求項１に記載の緩み止め具。
【請求項３】
本体部およびリング部を有してなる繊維製のスリングの、前記本体部の長手方向の少なくとも一部を被覆する環状のカバーであって、
前記カバーの端部の外周面に一端が固定されているベルトと、
前記ベルトの前記一端からの長さを調整するとともに、その長さを固定するアジャスタと、を備える、スリング用カバー。
【請求項４】
本体部およびリング部を有してなる繊維製のスリングであって、
前記本体部の前記リング部側の端部に一端が固定されているベルトと、
前記ベルトの前記一端からの長さを調整するとともに、その長さを固定するアジャスタと、を備える、繊維製スリング。
【請求項５】
請求項１または請求項２に記載の緩み止め具を用いて、本体部およびリング部を有してなる繊維製のスリングによって対象物を固縛する方法であって、
前記リング部に他方端を挿通して形成されるループを前記対象物に外嵌し、前記ループを収縮することによって前記対象物を繋縛するステップと、
前記ベルトを、前記ループの前記リング部の逆側から前記リング部に接近させて、前記リング部の先端を繋着するステップと、
前記ベルトの、前記リング部の先端を繋着する位置から前記一端までの長さを最短長さに前記アジャスタで調整し、当該長さを固定するステップと、を備える、固縛方法。
【請求項６】
継ぎ手を介して第１の管に第２の管を接続する方法において、
前記第１の管に前記第２の管を接続する工程と、
両端にリング部を有する繊維製のスリングによって前記第１の管および前記第２の管それぞれを固縛する工程と、を有し、
前記固縛する工程は、１本の前記スリングの前記リング部それぞれに他方端を挿通することによって両端にループを形成し、請求項１または請求項２に記載の緩み止め具を用いて、前記第１の管および前記第２の管それぞれを請求項５の固縛方法によって各ループで固縛する工程を含む、管の接続方法。
【発明の詳細な説明】
【技術分野】
【０００１】
この発明は、緩み止め具、スリング用カバー、繊維製スリング、固縛方法、および管の接続方法に関する。
【背景技術】
【０００２】
プラント設備工事などにおいて高圧ホースの継ぎ手が破損等によって外れると、ホース内の高圧流体の流動に伴う振動によってホースが暴れ（吹き飛んで激しく動い）たり、高所にある場合には落下したりして、周囲に危険が及ぶことがある。そのような施工時の危険を回避するため、継ぎ手によって接続されたホース同士、またはホースとコンプレッサのノズルなどの装置とを、金属製または繊維製のスリングを用いて予め繋縛しておくことがある。スリングは、たとえば、Ａｍｅｒｉｃａｎ  Ｉｒｏｎ  Ｗｏｒｋｓ社製のＲｅｄ  Ｉｒｏｎ  Ｃｈｏｋｅｒ、および、Ａｉｒ  Ｈｏｓｅ  Ｒｅｓｔｒａｉｎｔ社製のＷｉｐＣｈｅｋ（登録商標）、である。これにより、たとえ高圧ホースの継ぎ手が外れた場合であっても、ホースの暴れや落下を抑えることができ、上のような危険を回避できる。
【発明の概要】
【発明が解決しようとする課題】
【０００３】
ホース内の高圧流体、または、当該ホースに接続されたコンプレッサなどの装置によって当該ホースに振動が生じると、スリングの当該ホースに対する拘束力が減少する（緩くなる）。ホースに対する拘束力が減少するとスリングからホースが離脱しやすくなるため、ホースの暴れや落下を効果的に抑えることができなくなる。
【０００４】
このような課題に対処するために、施工時に、作業員がホースにスリングをきつく巻きつけたり、スリングの上からワイヤを巻きつけたりすることがなされている。これにより、ホースがスリングに固縛される。
【０００５】
しかしながら、いずれの方法であっても、作業員の技能、ホースの振動、などによっては、依然としてスリングの当該ホースに対する拘束力が減少する場合がある。また、設備工事などのホースの接続箇所が多い場合には、１箇所ずつホースの継ぎ手にワイヤを巻きつけるといった作業は非常に煩雑である。
【０００６】
なお、設備工事などにおける高圧ホースに限らず、荷役においてスリングで荷を吊る場合にも同様に、吊り下げの振動等によって落下しないように緩みなく吊荷を繋縛することが重要である。
【０００７】
そこで、本発明のある局面における目的は、簡易な作業でスリングの対象物に対する拘束力の減少を防止できる緩み止め具、スリング用カバー、繊維製スリング、当該緩み止め具を用いたスリングによる固縛方法、および当該緩み止め具およびスリングを用いた管の接続方法を提供することである。
【課題を解決するための手段】
【０００８】
ある実施の形態に従うと、緩み止め具は、本体部およびリング部を有してなる繊維製のスリングの、リング部に他方端を挿通して形成されるループで対象物を繋縛する際に用いられる緩み止め具であって、本体部の、ループの周縁を構成する位置に一端が固定されているベルトと、ベルトの上記一端からの長さを調整するとともに、その長さを固定するアジャスタと、を備える。
この構成によって、後述する固縛方法で、当該緩み止め具を用いて、本体部およびリング部を有してなる繊維製のスリングによって対象物を固縛することが可能になる。
【０００９】
好ましくは、緩み止め具は、本体部の長手方向の少なくとも一部を被覆する環状のカバー部をさらに備え、ベルトの上記一端は、カバー部のリング部に近い端部の外周面に固定されている。
ベルトがカバーに固定されていることで、当該カバーでスリングの本体部の少なくとも一部を被覆すると、後述する固縛方法により、当該スリングによって対象物を固縛することが可能になる。また、緩み止め具を既存のスリングでの対象物の繋縛にも利用することができる。
【００１０】
他の実施の形態に従うと、スリング用カバーは、本体部およびリング部を有してなる繊維製のスリングの、本体部の長手方向の少なくとも一部を被覆する環状のカバーであって、カバーの端部の外周面に一端が固定されているベルトと、ベルトの上記一端からの長さを調整するとともに、その長さを固定するアジャスタと、を備える。
当該カバーをスリングに装着すると、後述する固縛方法により、当該スリングによって対象物を固縛することが可能になる。また、緩み止め具を既存のスリングでの対象物の繋縛にも利用することができる。
【００１１】
他の実施の形態に従うと、繊維製スリングは、本体部およびリング部を有してなる繊維製のスリングであって、本体部のリング部側の端部に一端が固定されているベルトと、ベルトの上記一端からの長さを調整するとともに、その長さを固定するアジャスタと、を備える。
この構成によって、後述する固縛方法で当該スリングによって対象物を固縛することが可能になる。
【００１２】
他の実施の形態に従うと、固縛方法は、上記の緩み止め具を用いて、本体部およびリング部を有してなる繊維製のスリングによって対象物を固縛する方法であって、リング部に他方端を挿通して形成されるループを対象物に外嵌し、ループを収縮することによって対象物を繋縛するステップと、ベルトを、ループのリング部の逆側からリング部に接近させて、リング部の先端を繋着するステップと、ベルトの、リング部の先端を繋着する位置から固定されている一端までの長さを最短長さにアジャスタで調整し、当該長さを固定するステップと、を備える。
ベルトの、リング部の先端を繋着する位置から固定されている一端までの長さが最短長さに固定されることによって、リング部の先端は、当該位置に繋着されたベルトによって、リング部の付け根側とは逆向きにベルトの上記一端に向かう方向に引っ張られる。これにより、リング部全体が対象物に押し付けられるとともに、本体部もリング部に挿通されている位置まで対象物に押し付けられ、その状態で固定される。その結果、対象物はリング部全体および本体部によって拘束され、その拘束力が減退せずに維持される。その結果、施工時などにおいてスリングによって対象物が固縛される。
【００１３】
他の実施の形態に従うと、管の接続方法は、継ぎ手を介して第１の管に第２の管を接続する方法において、第１の管に第２の管を接続する工程と、両端にリング部を有する繊維製のスリングによって第１の管および第２の管それぞれを固縛する工程と、を有し、固縛する工程は、１本のスリングのリング部それぞれに他方端を挿通することによって両端にループを形成し、上記の緩み止め具を用いて、第１の管および第２の管それぞれを上記の固縛方法によって各ループで固縛する工程を含む。
これにより、施工時などにおいて、１本のスリングの両端で第１の管および第２の管それぞれが固縛される。そのため、施工時などにおいて、一方の管が継ぎ手から離脱した場合であっても、スリングを介した他方の管への接続が維持されている。これにより、離脱した管はスリングの長さの範囲でしか動いたり落下したりすることがなく、当該管の動きや落下によって周囲に危険を及ぼす可能性を大幅に抑えることができる。
【発明の効果】
【００１４】
この発明によると、簡易な構造および簡易な作業で、スリングの対象物に対する拘束力の減少を防止できる。
【図面の簡単な説明】
【００１５】
【図１】第１の実施の形態にかかる緩み止め具付きスリング用カバー（以下、カバーと略する）の構成を示す概略六面図である。
【図２】カバーのスリングへの装着方法の説明図である。
【図３】カバーを装着したスリングの斜視図である。
【図４】カバーを装着したスリングの端部の拡大図である。
【図５】カバーが装着されたスリングによって、対象物を固縛する方法の説明図である。
【図６】ベルトおよびアジャスタによる緩み止めの原理の説明図である。
【図７】カバーが装着されたスリングを用いた管の接続方法の説明図であって、（Ａ）は接続方法を表わした図であり、（Ｂ）は接続完了の状態を表わした図である。
【図８】第２の実施の形態にかかる緩み止め具付きスリングの構成を示す概略図である。
【発明を実施するための形態】
【００１６】
以下に、図面を参照しつつ、好ましい実施の形態について説明する。以下の説明では、同一の部品および構成要素には同一の符号を付してある。それらの名称および機能も同じである。したがって、これらの説明は繰り返さない。
【００１７】
＜第１の実施の形態＞
［緩み止め具付きスリング用カバーの構成］
図１は、第１の実施の形態にかかる緩み止め具付きスリング用カバー（以下、カバーと略する）１００の構成を示す概略六面図である。本実施の形態にかかるカバー１００は、繊維製のスリング２００のカバーとして用いられる。図２は、カバー１００のスリング２００への装着方法の説明図である。また、図３は、カバー１００を装着したスリング２００の斜視図である。また、図４は、カバー１００を装着したスリング２００の端部の拡大図である。
【００１８】
図を参照して、カバー１００は、長手方向に延びるカバー部３と、緩み止め具として機能する、カバー部３の長手方向の端部の外周面に一端が固定されたベルト１、および、ベルト１に取り付けられたアジャスタ２と、を有する。好ましくは、カバー１００は、カバー部３の長手方向の両端部に１本ずつ、それぞれ一端が固定された２本のベルト１を有する。ベルト１のカバー部３に固定された端部を固定端、逆側の端部を自由端とも言う。
【００１９】
アジャスタ２はいわゆるテープアジャスタと呼ばれる、長さ調整および固定具であり、環体２１と、環体２１に一端が固定された固定帯２３と、を有する（図４）。固定帯２３の、環体２１に固定された端部の逆側端部は、ベルト１の一端と重ねてカバー部３の端部に固定されている。詳しくは、図４を参照して、環体２１には、２つの仕切り２１ａおよび２１ｂによって３つの挿通溝２２ａ、２２ｂ、および２２ｃが構成されている。固定帯２３は、環体２１に固定された側の端部と逆側端部が挿通溝２２ａおよび２２ｂに挿通された状態で環体２１に固定されている。
【００２０】
ベルト１の自由端は、挿通溝２２ｂおよび２２ｃにその順に挿通される。これにより、ベルト１は環状部を形成する。自由端が挿通溝２２ｂおよび２２ｃにその順に挿通されることによって、ベルト１は、環体２１に対して固定される。従って、アジャスタ２は、ベルト１の構成する環状部の周長を調整および固定可能である。
【００２１】
繊維製のスリング２００は、ベルトスリングまたはラウンドスリングである。スリング２００は、一例として、輪形状のエンドレス型である。他の例として、スリング２００の端部には、アイ部が形成されていてもよい。または、ベルトスリングの両端に、アイ部に替えて輪が接続されていてもよい。アイ部および接続された輪は、スリング２００のリング部を構成する。スリング２００の素材は、所定強度、耐火性、耐水性、耐光性、耐食性、耐摩耗性、弱磁性、難燃性、抗薬品性、柔軟性などの性質を有し、たとえば、ポリエステル繊維、ナイロン繊維、ポリアミド繊維などである。
【００２２】
図２を参照して、カバー１００は、長手方向を一致させたスリング２００をカバー部３の内空に挿入することでスリング２００に装着される。カバー部３は、スリング２００の少なくとも一部を被覆する。カバー１００は、スリング２００の端部がカバー１００の端部から露出するようにスリング２００に装着される。好ましくは、カバー１００は、図３に示されたように、スリング２００の端部がそれぞれカバー１００の両端部から露出するようにスリング２００に装着される。このとき、スリング２００のカバー１００の端部から露出した端部がアイ部２００ａ、および、カバー１００に被覆された部分が本体部２００ｂを構成する（図２、図４）。
【００２３】
［スリングを用いた固縛方法］
カバー１００は、スリング２００の一方端のアイ部２００ａに他方端を通して形成されるループで対象物を繋縛する際に、ループの当該対象物に対する拘束力の減少（緩み）を防止するために用いられる。ここでのスリング２００による対象物の繋縛は、たとえばプラント設備工事などの施工時に行われることが想定されている。上記ループによる対象物の繋縛は、「チョーク吊り」や「絞り吊り」と呼ばれる荷吊りでも行われている。対象物に対するスリング２００の拘束力の減少が防止されることで、当該対象物はスリング２００によって固縛される。図５は、カバー１００が装着されたスリング２００によって、対象物である筒状部材Ｔを固縛する方法の説明図であって、筒状部材Ｔの軸方向の概略平面図である。当該方法は、図５のステップＳＴ１〜ＳＴ４の各手順を有する。
【００２４】
（ステップＳＴ１）
カバー１００が装着されたスリング２００のアイ部２００ａにスリング２００の他方端を挿通してループを形成し、当該ループを筒状部材Ｔに外嵌する。筒状部材Ｔにループが外嵌された状態で、ループを収縮するようにスリング２００の上記他方端を引く（矢印Ａ）。これにより、筒状部材Ｔが当該ループによって繋縛される。このとき、スリング２００の長手方向に対するカバー１００の位置は、環体２１が配置されている箇所が上記ループの周縁を構成し、カバー部３がスリング２００のアイ部２００ａに挿通されている位置とする。
【００２５】
（ステップＳＴ２）
ベルト１の自由端を、ループのアイ部２００ａの逆側からアイ部２００ａに接近させて、つまり、スリング２００の上記他方端と同じ周方向でスリング２００のカバー部３に被覆された本体部２００ｂに沿って、アイ部２００ａに挿通する（矢印Ｂ）。
【００２６】
（ステップＳＴ３）
アイ部２００ａに挿通したベルト１の自由端をアイ部２００ａで折り返して（矢印Ｃ）、環体２１の挿通溝２２ｂに挿通する（矢印Ｄ）。これにより、ベルト１は環状部を形成し、当該環状部とアイ部２００ａとが鎖状に繋属される。
【００２７】
（ステップＳＴ４）
挿通溝２２ｂに挿通したベルト１の自由端をさらに挿通溝２２ｃに挿通し（矢印Ｅ）、ベルト１が形成する環状部の周長が最短となるまで自由端を引く（矢印Ｆ）。これにより、ベルト１は、環状部の周長が最短となる長さに調整され、固定される。
【００２８】
環状部とアイ部２００ａとが鎖状に繋属され、アジャスタ２によって当該環状部の周長が最短となる長さで固定されることによって、折り返し部分がアイ部２００ａの先端に繋着し、アイ部２００ａは、アイ部２００ａの付け根側とは逆向きにベルト１の固定端に向かう方向に引っ張られる。これにより、アイ部２００ａ全体が筒状部材Ｔに押し付けられるとともに、カバー部３で被覆された本体部２００ｂもアイ部２００ａに挿通されている位置まで、筒状部材Ｔに押し付けられ、その状態で固定される。このため、筒状部材Ｔは、アイ部２００ａ全体およびカバー部３で被覆された本体部２００ｂによって拘束される。
【００２９】
ベルト１の長さがアジャスタ２によって固定されているため、アイ部２００ａに加えられるベルト１の固定端に向かう方向の引っ張り力は継続される。そのため、上記拘束力は減退せず、維持される。その結果、スリング２００によって筒状部材Ｔが固縛される（図６参照）。
【００３０】
［スリングでの固縛の原理］
図６は、ベルト１およびアジャスタ２による緩み止めの原理の説明図であって、筒状部材Ｔの軸方向の概略平面図である。図６では、筒状部材Ｔがスリング２００によって固縛された状態を表している。
【００３１】
図６を参照して、アイ部２００ａに筒状部材Ｔから遠ざかる方向の力Ｆ１が作用すると、筒状部材Ｔに外嵌するスリング２００のループの周長が拡大し、当該ループの筒状部材Ｔに対する拘束力が減少する。たとえば筒状部材Ｔが高圧ホースである場合、力Ｆ１は、ホース内の高圧流体の流動に伴う筒状部材Ｔの振動によって生じる。
【００３２】
アイ部２００ａの先端は、ベルト１の固定端に向けて引っ張られている。したがって、アイ部２００ａに力Ｆ１が作用した場合、その逆向き、つまり、アイ部２００ａを筒状部材Ｔに押し付ける方向に、力Ｆ１と同じ大きさの力Ｆ２が作用する。その結果、アイ部２００ａは筒状部材Ｔから遠ざかる方向に移動することがない。つまり、スリング２００の筒状部材Ｔに対する拘束力は減少せず（緩まず）、固縛状態が維持される。
【００３３】
［スリングを用いた管の接続方法］
ベルト１およびアジャスタ２を有するカバー１００は、スリング２００で対象物を繋縛する様々なシチュエーションで使用できる。たとえば、プラント設備工事などでの高圧ホースを継手を介して接続する際に使用される。図７は、カバー１００が装着されたスリング２００を用いた管の接続方法の説明図であって、図７（Ａ）は接続方法を表わした図であり、図７（Ｂ）は接続完了の状態を表わした図である。図７（Ａ），（Ｂ）に示された接続方法は、高圧用のホース（管）Ｔ１およびＴ２を、継手を介して接続する方法である。なお、ホースＴ２は、たとえば、高圧用の第１のホースＴ１に高圧流体を注入するためのプラント５００に設けられた注入管である。
【００３４】
図７（Ａ）を参照して、始めに、カバー１００が装着されたスリング２００の両端にそれぞれループを形成し、第１の端部に形成されたループで第１のホースＴ１の端部（継手近傍）を繋縛するとともに、逆側の第２の端部に形成されたループで第２のホースＴ２の端部を繋縛する。その状態で各ベルト１を締めることによって、各ループによってホースＴ１，Ｔ２を固縛する（ステップＳ１，Ｓ２）。ステップＳ１，２は、それぞれ、図５のステップＳＴ１〜ＳＴ４の手順によって実現される。
【００３５】
そして、第１のホースＴ１および第２のホースＴ２の各端部が１本のスリング２００の両端で固縛された状態を維持して、これらホースＴ１，Ｔ２を継手によって接続する（ステップＳ３）。これにより、ホースＴ１，Ｔ２は、図７（Ｂ）に示されたように、継手によって接続された状態で、かつ、１本のスリング２００のそれぞれの端部での固縛状態が維持される。
【００３６】
［第１の実施の形態の効果］
本実施の形態にかかるカバー１００を用いると、スリング２００の一方端を他方端のアイ部２００ａに挿通して形成したループで対象物を繋縛する際に、アイ部２００ａにループを収縮する方向に引っ張る力が生じる。この力は、アイ部２００ａに対して、ループが拡大、つまり、対象物の繋縛が緩む方向の力が生じることを阻止する。これにより、スリング２００の対象物に対する拘束力が減少する（緩む）ことを防止できる。その結果、スリング２００によって対象物を固縛することできる。
【００３７】
本実施の形態にかかるカバー１００は、緩み止め具としてベルト１と当該ベルト１に固定されたアジャスタ２とを有している。緩み止め具をこのような簡易な構造とすることで、製作を容易にすることができるとともに軽量化を図ることができ、設備施工などの現場での取り扱いを容易にできる。
【００３８】
また、このような構造によって、図５に示されたような、ベルト１の長さを調節し、アジャスタ２によって当該長さを固定する、という容易な作業で、当該カバー１００を装着したスリング２００の対象物に対する拘束力の減少を防止できる。このため、作業員の技能などに大きく影響されることなく当該カバー１００を装着したスリング２００での緩み止めを行うことができる。
【００３９】
なお、ベルト１は、予め、対象物の周長に応じた長さとしておいてもよい。この場合、カバー１００は、対象物（の周長）に対して専用品となる。これにより、長さの調節は容易になる。一方で、ベルト１の長さを対象物の周長に応じた長さとすると、カバー１００を周長の異なる対象物に用いることができなくなる。従って、本実施の形態にかかるカバー１００では、好ましくは、ベルト１の長さは想定される対象物の周長に対して充分に長いものとする。これにより、本実施の形態にかかるカバー１００の、対象物の周長に対する汎用性を高めることができる。
【００４０】
図７（Ａ），（Ｂ）を用いて説明されたように、本実施の形態にかかるカバー１００を、継ぎ手を介して接続された高圧用のホースＴ１，Ｔ２を両端それぞれで繋縛するスリング２００に装着することで、当該スリング２００の両端でホースＴ１，Ｔ２それぞれが固縛される。
【００４１】
プラント設備工事などの施工時において、高圧用のホースが、ホース内の高圧流体の流動に伴う振動によって継ぎ手から離脱すると、ホースが内圧によって激しく動いたり、高所に有る場合には落下したりするおそれがある。この状態は、周囲に危険を及ぼす可能性があり、施工時の安全性を低下させ、また、その状況を回避しようとすることによって施工性を損なう場合もある。
【００４２】
しかしながら、図７（Ｂ）に示されたように１本のスリング２００の両端でそれぞれホースＴ１，Ｔ２が繋縛されていることで、施工時にホースＴ１が継ぎ手から離脱した場合であっても、ホースＴ１はスリング２００を介してホースＴ２に接続された状態が維持される。そのため、ホースＴ１がスリング２００の長さの範囲でしか動いたり落下したりすることがなく、周囲に危険を及ぼす可能性を大幅に抑えることができる。その結果、施工時の安全性の低下を抑え、また、施工性の低下も抑えることができる。
【００４３】
また、本実施の形態にかかるカバー１００に備えられたベルト１およびアジャスタ２によってスリング２００によりホースＴ１，Ｔ２が固縛されて、その緩みが防止されている。そのため、施工時にホースＴ１が継ぎ手から離脱した場合であっても、ホースＴ１はスリング２００を介して確実にホースＴ２に接続されている状態とすることができる。これにより、周囲に危険を及ぼす可能性をより大幅に抑えることができる。その結果、施工時の安全性の低下をより抑え、また、施工性の低下もより抑えることができる。
【００４４】
さらに、第１の実施の形態では、緩み止め具として機能するベルト１およびアジャスタ２がカバー部３に固定されたカバー１００をスリング２００に装着して用いるものとしている。これにより、既存のスリング２００にカバー１００を装着することで、当該スリング２００によって対象物が固縛される。
【００４５】
［変形例］
なお、スリング２００の長さによっては、図７（Ａ）に示されたホースＴ１，Ｔ２の接続方法が煩雑となる場合もある。なぜなら、ステップＳ３でホースＴ１，Ｔ２を接続する前にホースＴ１，Ｔ２それぞれをスリング２００の両端で固縛することによって、ホースＴ１，Ｔ２を継手によって接続する際のホースＴ１，Ｔ２間の長さが制約されるためである。
【００４６】
そこで、上記のようにベルト１の長さが対象物の周長に対して充分に長い場合には、変形例として、下のステップＳ１１〜Ｓ１４の工程でホースＴ１，Ｔ２を接続してもよい。なお、下の工程において、ホースＴ１，Ｔ２を入れ替えても同様である。
ステップＳ１１：第１のホースＴ１をスリング２００の第１の端部に形成されたループで繋縛するとともに、逆側の第２の端部に形成されたループで第１のホースＴ１の端部側を緩縛する。
ステップＳ１２：第１のホースＴ１端部がスリング２００の第１の端部で固縛され、第２の端部で緩縛された状態を維持して、ホースＴ１，Ｔ２を継手によって接続する。
ステップＳ１３：第１のホースＴ１端部の緩縛状態であるスリング２００の第２の端部のループの周長を長くし（緩め）、ループ状を維持したまま継手を通過して第２のホースＴ２の端部まで移動させる。
ステップＳ１４：第２のホースＴ２の端部を第２のホースＴ２の端部のループで繋縛する。
【００４７】
上記の接続方法とすることで、ホースＴ１，Ｔ２を継手によって接続する際にホースＴ１，Ｔ２間の長さが制約されることがなく、接続の際の自由度を増すことができる。
【００４８】
＜第２の実施の形態＞
なお、緩み止め具はカバー１００に備えられていることは必須ではない。当該緩み止め具は、スリングに直接備えられてもよい。図８は、第２の実施の形態にかかる緩み止め具付きスリング３００の構成を示す概略図である。
【００４９】
図８を参照して、スリング３００は繊維製のスリングであって、少なくとも一方の端部にアイ部が形成されているアイ型スリングである。スリング３００には、両側にアイ部３００ａが形成され、その間が本体部３００ｂを形成している。本体部３００ｂの少なくとも一方のアイ部３００ａの付け根位置にベルト１が固定され、当該ベルトの固定端にアジャスタ２が固定されている。
【００５０】
第２実施の形態にかかるスリング３００も、第１の実施の形態にかかるカバー１００が装着されたスリング２００と同様に用いることができる。
【００５１】
緩み止め具として機能するベルト１およびアジャスタ２がスリング３００の本体部３００ｂに固定されていることによって、当該スリング３００単体で（カバー等の装着を不要として）、当該スリング３００による対象物の固縛を可能にすることができる。
【００５２】
＜第３の実施の形態＞
なお、アジャスタ２は、いわゆるテープアジャスタと呼ばれるものに限定されない。ベルト１の長さの調整および固定が可能であればどのようなものであってもよい。他の例として、面ファスナや、コキと呼ばれる長さ調整用のアジャスタおよび固定する差込バックルの組合せ、などであってもよい。
【００５３】
＜第４の実施の形態＞
第１の実施の形態では、緩み止め具として機能するベルト１およびアジャスタ２を用いたスリング２００による対象物の固縛方法を利用する一例として、プラント設備工事などの施工時に高圧用のホースを接続するシーンが挙げられている。当該固縛方法は、施工時における管の接続に限定されず、様々なシチュエーションにおいて利用可能である。たとえば、いわゆるチョーク吊りや絞り吊りなど呼ばれる荷吊りにおいて利用することができる。その際、すでに用いられている緩み止め具がある場合、本実施の形態にかかるゆるみ止め具と併用してもよい。これにより、スリングの吊り荷に対する拘束力が減少することを防止でき、荷役の安全性を向上させることができる。
【００５４】
＜第５の実施の形態＞
なお、以上の例では、図１〜図３に示されたように、カバー部３がスリング２００の本体部２００ｂの長手方向全体を被覆するものとしているが、上記のように、カバー部３は、本体部２００ｂの少なくとも一部であって、ベルト１の固定位置がループの周縁に存在するような位置を被覆すればよい。そのため、他の例として、カバー部３は、スリング２００のアイ部２００ａ付近のみ設けられてもよい。
【００５５】
このような構造とすることで、カバー部３の長手方向のサイズを大幅に抑えることができる。その結果、カバー１００を軽量化することができ、取り扱いを容易にすることができる。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５７】
１  ベルト
２  アジャスタ
３  カバー部
２１  環体
２１ａ、２１ｂ  仕切り
２２ａ、２２ｂ、２２ｃ  挿通溝
２３  固定帯
１００  カバー
２００、３００  スリング
２００ａ、３００ａ  アイ部
２００ｂ、３００ｂ  本体部
５００  プラント
Ｆ１、Ｆ２  力
Ｔ  筒状部材
Ｔ１  第１のホース
Ｔ２  第２のホース
【図１】
2019100515.tif 000003
【図２】
2019100515.tif 000004
【図３】
2019100515.tif 000005
【図４】
2019100515.tif 000006
【図５】
2019100515.tif 000007
【図６】
2019100515.tif 000008
【図７】
2019100515.tif 000009
【図８】
2019100515.tif 000010